(57)【要約】  【課題】自動販売機の商品収納棚で、商品通路を構成する可動セグメントと固定セグメントとの２部品を上端軸支により並列で取り付けるという２層構造のため、１層での組み立てに比べ２倍もの作業工数が必要であり、生産性を上げられないという課題を有していた。  【解決手段】可動セグメント８ａおよび固定セグメント８ｂの各軸に幅調整板９ａ側端面と幅調整板９ａ側の側板２とにそれぞれ当接するストッパー部１７を有したストッパー付挿通ピン３０を圧入して組み立てられる可動セグメント組立体１８ａと固定セグメント組立体１８ｂと補強セグメント８ｃとで商品通路３を構成することにより商品通路３の横幅方向を２層構成から１層構成で組み立てることが可能となり、材料費の削減と生産性の向上を図ることができより安価な自動販売機を提供することが可能となる。【選択図】図１
2006011797.tif 000002
【特許請求の範囲】
【請求項１】
左右一対の側板間に断面が略円弧状で上端軸部を中心に回転自在に挿通ピンで軸支された可動セグメントと、断面が略円弧状で上下端のいずれかもしくは両方を前記挿通ピンで軸支した固定セグメントのいずれかまたは両方を対向配置して上下方向に蛇行状に形成された商品通路と、前記商品通路の下部に商品を払い出す搬出部と、前記商品通路および前記搬出部に収納する商品に応じて左右幅を変更する幅調整板とからなる商品収納路において、上下方向に亘って、前記幅調整板の可動範囲外には可動範囲内に比べ前記可動セグメントもしくは前記固定セグメントを多く配置したことを特徴とする自動販売機の商品収納棚。
【請求項２】
左右一対の側板間に断面が略円弧状で上端軸部を中心に回転自在に挿通ピンで軸支された可動セグメントと、断面が略円弧状で上下端のいずれかもしくは両方を前記挿通ピンで軸支した固定セグメントのいずれかまたは両方を対向配置して上下方向に蛇行状に形成された商品通路と、前記商品通路の下部に商品を払い出す搬出部と、前記商品通路および前記搬出部に収納する商品に応じて左右幅を変更する幅調整板とからなる商品収納路において、上下方向に亘って、前記幅調整板の可動範囲外にのみ前記可動セグメントもしくは前記固定セグメントを配置したことを特徴とする自動販売機の商品収納棚。
【請求項３】
前記商品通路を構成する前記可動セグメントおよび前記固定セグメントのうち前記幅調整板の可動範囲外にのみ前記可動セグメントを、また前記固定セグメントは前記左右一対の側板全幅にわたって配置したことを特徴とする請求項１または２記載の自動販売機の商品収納棚。
【請求項４】
前記挿通ピン上には前記可動セグメントおよび前記固定セグメントの前記空洞部側で前記可動セグメントおよび前記固定セグメントと当接し、また前記空洞部側の前記側板の前記商品通路側にも当接するストッパー部を設けたことを特徴とする請求項１または３に記載の自動販売機の商品収納棚。
【請求項５】
前記挿通ピン上には前記可動セグメントの前記空洞部側で前記可動セグメントと当接し、また前記空洞部側の前記側板の前記商品通路側にも当接するストッパー部を設けたことを特徴とする請求項１から４に記載の自動販売機の商品収納棚。
【請求項６】
前記挿通ピンは略円筒形状のピン断面と全長にわたって隙間を有し、前記ストッパー部は当接箇所と同数の２箇所を有し、前記ストッパー部のそれぞれは前記隙間の一端から他端へ前記略円筒形状上に中心から外向きに突出して略円筒形状のストッパー部断面を連続的にもしくは間欠して有したことを特徴とする請求項１から５に記載の自動販売機の商品収納棚。
【請求項７】
前記挿通ピンの前記ストッパー部断面は前記隙間の一端と他端で前記ピン断面の始終点の位置が前記挿通ピンの断面の始終点で一致し、両端のそれぞれから前記ストッパー部断面の円周に向かって鈍角で接するように延びた形状を有したことを特徴とする請求項１から６に記載の自動販売機の商品収納棚。
【請求項８】
前記挿通ピンに設けられた前記ストッパーで前記可動セグメントまたは前記固定セグメントと当接する側より更に前記可動セグメントまたは前記固定セグメント側で前記可動セグメントまたは前記固定セグメントと干渉する位置に前記挿通ピンの中心から円周方向に向かって突出した係合部で前記可動セグメントの上端回動軸部または前記固定セグメントの上下端軸部のうちのいずれかもしくは両方へ圧入して前記挿通ピンと前記可動セグメントまたは前記固定セグメントの２部品を予め組立て可能とすることを特徴とする請求項１から７に記載の自動販売機の商品収納棚。
【請求項９】
前記挿通ピンに設けられた前記ストッパーで前記可動セグメントと当接する側より更に前記可動セグメントまたは前記固定セグメント側で前記可動セグメントと干渉する位置に前記挿通ピンの中心から円周方向に向かって突出した係合部と、前記可動セグメントの上端回動軸部上で中心から円周方向へ突出し前記係合部と前記上端可動軸を中心に揺動自在に嵌合する位置に設けられた可動セグメント補強ビードとにより、前記挿通ピンと前記可動セグメントと前記可動セグメントを上方に付勢させる付勢手段の３部品を予め組立て可能とすることを特徴とする請求項１から７に記載の自動販売機の商品収納棚。
【請求項１０】
前記挿通ピンの両端もしくは一端をそれぞれ切り口が略楕円となるよう前記挿通ピンを斜めに切断し、片側もしくは両端をそれぞれ尖らせた形状を特徴とする請求項１から９に記載の自動販売機の商品収納棚。
【請求項１１】
前記挿通ピンの一端もしくは両端に展開形状を略凸凹形状とし前記側板に挿通した後拡開して前記側板に取り付ける割ピン部を設けたことを特徴とする請求項１から１０に記載の自動販売機の商品収納棚。
【請求項１２】
前記幅調整板の可動範囲外にのみ前記可動セグメントもしくは前記固定セグメントを前後に千鳥配列して上下方向に複数配置された商品通路を前後に複数列配置させてなる自動販売機の商品収納棚において、前記商品通路外であって、且つ、前記可動セグメントもしくは前記固定セグメントのそれぞれ背面で前記左右一対の側板に挿通された挿通ガイドピンを複数設けたことを特徴とする請求項１から１１のいずれかに記載の自動販売機の商品収納棚。
【請求項１３】
前記幅調整板の可動範囲外にのみ前記可動セグメントもしくは前記固定セグメントを前後に千鳥配列して上下方向に複数配置された商品通路を前後に複数列配置させてなる自動販売機の商品収納棚において、前記左右一対の側板から前記商品通路に向かって断面が略Ｌ字形状のガイド部を前記可動セグメントと前記固定セグメントのそれぞれ背面に上下方向に渡って連続的にまたは部分的に設けたことを特徴とする請求項１から１２のいずれかに記載の自動販売機の商品収納棚。
【請求項１４】
前記可動セグメントもしくは前記固定セグメントを前後に千鳥配列して上下方向に複数配置された商品通路を前後に複数列配置させてなる自動販売機の商品収納棚において、前記商品通路の断面積より全体的に、もしくは幅方向に移動自在に軸支する吊り下げ部以外で部分的に大きい形状を有した幅調整板を設けたことを特徴とする請求項１から１３のいずれかに記載の自動販売機の商品収納棚。
【発明の詳細な説明】
【技術分野】
【０００１】
本発明は、断面形状が概ね円筒形及び、概ね正方形をした缶、壜、ＰＥＴ容器を収納する、自動販売機の商品収納棚に関するものである。
【背景技術】
【０００２】
従来、この種の自動販売機の商品収納棚は、主に断面形状が概ね円筒形及び、概ね正方形をした缶、壜、ＰＥＴ容器を収納することを目的とし、断面が蛇行した形状の商品通路が前後方向に複数列配置され、その上部には上下方向に複数列の商品投入口が、また、その下部には複数の商品搬出口が設けられた構成となっているものが主流となっている。
【０００３】
図７は、従来の自動販売機の商品収納棚を示すものである。商品収納棚１は、左右両側板２間で前後方向に複数列の商品通路３が配置されており、その上方に商品投入口４を構成する商品案内板５と商品案内側板６とがそれぞれ商品通路３へ通じて配置されている。そして、長手方向を横向きにして商品投入口４より投入された商品を商品案内板５上で転動案内もしくは摺動案内して商品通路３へと装填され、各商品通路３内で上下方向に積み重ねられる。積み重ねられた商品は、最下位の商品から、コラム下部に設けられた搬出部なるベンド機構７を介して販売指令に基づいて搬出される。
【０００４】
商品の長手方向を横向きに水平姿勢でベンド機構７まで案内するとともに投入された商品を上方に積み上げて収納する機能を有した各商品通路３は、商品通路３に沿う方向に配列された複数の円弧板からなる可動セグメント８ａ、固定セグメント８ｂおよび補強セグメント８ｃを用いて形成されており、通路が蛇行したいわゆるサーペンタインコラム（サーペンタイン通路）として形成されている。各商品通路３の蛇行面は上記の如く円弧板からなる可動セグメント８ａ、固定セグメント８ｂと補強セグメント８ｃとで形成されるが、通路幅方向側面は、左右両側板２の内一方の側板２と、幅調整板９とによって形成されている。
【０００５】
以上のように、上部に配された商品投入口４に連なって断面が蛇行形状の商品通路３が構成され更に下方に連なってベンド機構が構成されるとともに幅調整板９を商品通路３に配して商品収納路１０が構成される。幅調整板９は、商品収納棚１内において、投入される商品の全長に応じて商品通路３の幅方向（商品収納棚１の幅方向）に移動可能に設けられている。商品の長さに応じ幅調整板９の位置が設定されると、幅調整板９の一方側は商品通路部１１ａとなり、他方側は空洞部１１ｂとなる。
【０００６】
また、幅調整板９は、商品案内側板６の後方に設けられた連結部１２で前後（奥行き）および上下（鉛直）方向に移動自在に連結されており、左右（横幅）方向には両者が一体的に移動できるようになっている。したがって、商品通路３における幅設定と、商品投入口４における幅設定とを連動して同時に行えるようになっている。
【０００７】
このような構成を有す商品収納棚１において、上下方向に延びる商品通路３を形成するために該商品通路３は、上下方向に複数配列される可動セグメント８ａと固定セグメント８ｂおよび補強セグメント８ｃとから構成されている。すなわち、幅調整板９の可動範囲内においては、固定セグメント８ｂが設けられ、幅調整板９の可動範囲外においては、可動セグメント８ａが、また商品収納棚１の幅方向の寸法を確定させるとともに商品収納棚１の剛性を確保させるため左右両側板２間のそれぞれ商品通路３側に当接する横幅を有した円弧板から成る補強セグメント８ｃとをそれぞれ上下方向に複数設けられている。固定セグメント８ｂは、上下端でそれぞれ上端挿通ピン１３ａ、下端挿通ピン１３ｂによって固定されている。可動セグメント８ａは、上端が固定セグメント８ｂと共に上端挿通ピン１３ａで揺動自在に支持されるとともに付勢部材により商品通路３を塞ぐ方向に付勢されている。そして、収納される商品の重量により可動セグメント８ａを回動させ、可動セグメント８ａの下端を固定セグメント８ｂの下端側を固定する下端挿通ピン１３ｂに係止させて商品通路３を形成することとなる。下端挿通ピン１３ｂは固定セグメント８ｂと可動セグメント８ａとを係止させるため共通に用いられている（例えば、特許文献１参照）。
【０００８】
次に図８は、従来の自動販売機の商品収納棚の商品通路３を構成する可動セグメント８ｂの斜視図である。左右一対の側板２間の幅寸法を介在するスペーサ１４によって規定すると共に、スペーサ１４は、その両端部に設けられ、左右両側板２に形成されたスペーサ取付孔１５に挿入され、拡開されることにより、スペーサ１４を左右両側板２間に取り付ける一対の割りピン部１６と、割りピン部１６の内側に設けられ、スペーサ取付孔１４への割りピン部１６の挿入により左右両側板２のそれぞれ内面に当接する一対のストッパー部１７とを備えている（例えば、特許文献２参照）。
【０００９】
以上のように構成された自動販売機の商品収納棚では、幅調整板９がどの位置に調整される場合にも、つまり、幅調整板９の横幅方向の設定位置を問わず商品通路３の幅方向で実質的に全幅にわたって奥行き方向に蛇行した壁が存在することになる。例えば幅調整板９が長さの長い商品に対応する位置に調整される場合であっても、商品通路３の幅方向は実質的に全幅にわたって奥行き方向に蛇行した壁が存在する。その結果、長さの長い商品が装填される場合であっても、該商品は可動セグメント８ａと、固定セグメント８ｂの両方によって商品の全長にわたってベンド機構７まで案内することが可能となり、不案内部分が生じないか、たとえ生じてもごく僅かな部分のみとなり、商品通路３内で商品の詰まりや姿勢の乱れが発生することが防止される。
【００１０】
また、可動セグメント８ａの優れた機能、すなわち、収納される商品の重量により可動セグメント８ａを回動させることから商品の落下速度を自動的に低下もしくは抑制させたり、商品の姿勢を自動的に水平に調整したりする機能はそのまま活かされるので、商品全長の差の大きい、あるいは、胴径や断面形状の異なる多種多様の商品に対しても、円滑な収納機能を発揮することができる。その結果、販売対象となる商品の範囲を大幅に拡大することができる。
【００１１】
また、各セグメントを左右一対の側板２間に係止することで奥行き方向の商品収納スペースを確保し、スペーサ１４に設けられたストッパー部１７と、割ピン部１６とにより、左右一対の側板２間も確保され、商品通路３の商品収納スペースが確実に確保されることとなる。
【特許文献１】特開平１０−２５５１４４号公報
【特許文献２】特開平０９−１５３１８１号公報
【発明の開示】
【発明が解決しようとする課題】
【００１２】
しかしながら、上記従来の構成では、上端挿通ピン１３ａ、下端挿通ピン１３ｂに可動セグメント８ａと固定セグメント８ｂの２部品を取り付けるという２層構造のため、１層での組立てに比べ２倍もの作業工数が必要であり、生産性を上げられないという課題を有していた。
【００１３】
また、左右一対の側板２間の幅寸法を確保するために、左右一対の側板２間で介在するスペーサ１４によって規定すると共に、スペーサ１４は、その両端部に設けられ、左右両側板２に形成されたスペーサ取付孔１５に挿入された後、拡開されることでスペーサ１４を側板２間に取り付ける一対の割りピン部１６と、割りピン部１６の内側に設けられ、スペーサ取付孔１５への割りピン部１６の挿入により左右両側板２のそれぞれ内面に当接する一対のストッパー部１７とを備えた構成のため、１つのスペーサ１４に対し割ピン部１６を２箇所拡開しなければならず、作業工数が２倍になり生産性を上げられず、また、１つのスペーサ１４に対し２箇所の割ピン部１６を同時に拡開すると、均等に拡開しないという課題を有していた。さらに、スペーサ１４には、左右両側板２のそれぞれ内面に当接する一対のストッパー部１７が設けられているため可動セグメント８ａ、固定セグメント８ｂといった商品通路３を構成する部品をスペーサ１４に取り付けられないという課題も有していた。
【００１４】
本発明は、上記従来の課題を解決するもので、部品種類と構成部品数を削減し、生産性をより向上させてより安価に自動販売機の商品収納棚を提供することを目的とする。
【課題を解決するための手段】
【００１５】
上記従来の課題を解決するために、本発明の商品収納棚は、上下方向に亘って、前記幅調整板の可動範囲外には可動範囲内に比べ前記可動セグメントもしくは前記固定セグメントを多く配置したものである。
【００１６】
これによって商品全長のほぼ半分以上を前記可動セグメントもしくは前記固定セグメントで案内すれば収納する商品の重心から前記商品通路内で商品の詰まりや落下姿勢の乱れが発生せず商品収納棚としての品質を確保できるという作用を有する。
【発明の効果】
【００１７】
本発明の自動販売機の商品収納棚は、従来品質を確保しつつ構成部品数を減らし材料費を削減するとともに生産性を向上させてより安価で提供することができる。
【発明を実施するための最良の形態】
【００１８】
本発明の請求項１の発明は、左右一対の側板間に断面が略円弧状で上端軸部を中心に回転自在に挿通ピンで軸支された可動セグメントと、断面が略円弧状で上下端のいずれかもしくは両方を前記挿通ピンで軸支した固定セグメントのいずれかまたは両方を対向配置して上下方向に蛇行状に形成された商品通路と、前記商品通路の下部に商品を払い出す搬出部と、前記商品通路および前記搬出部に収納する商品に応じて左右幅を変更する幅調整板とからなる商品収納路において、上下方向に亘って、前記幅調整板の可動範囲外には可動範囲内に比べ前記可動セグメントもしくは前記固定セグメントを多く配置したものであり商品全長のほぼ半分以上を前記可動セグメントもしくは前記固定セグメントで案内すれば収納する商品の重心から前記商品通路内で商品の詰まりや落下姿勢の乱れが発生せず商品収納棚としての品質を確保できるという作用を有する。
【００１９】
本発明の請求項２に記載の発明は、左右一対の側板間に断面が略円弧状で上端軸部を中心に回転自在に挿通ピンで軸支された可動セグメントと、断面が略円弧状で上下端のいずれかもしくは両方を前記挿通ピンで軸支した固定セグメントのいずれかまたは両方を対向配置して上下方向に蛇行状に形成された商品通路と、前記商品通路の下部に商品を払い出す搬出部と、前記商品通路および前記搬出部に収納する商品に応じて左右幅を変更する幅調整板とからなる商品収納路において、上下方向に亘って、前記幅調整板の可動範囲外にのみ前記可動セグメントもしくは前記固定セグメントを配置したものである。
【００２０】
これによって、従来まで商品通路はその横幅が前記左右の両側板間寸法とほぼ同寸法を有した構成としなければ長さの長い商品が装填されると、該商品は前記可動セグメントと、前記固定セグメントの両方によって投入された商品を安定して落下させることができず商品の詰まりや姿勢の乱れが発生するとされてきたが、商品全長のほぼ半分以上を前記可動セグメントもしくは前記固定セグメントで案内すれば収納する商品の重心から前記商品通路内で商品の詰まりや落下姿勢の乱れが発生せず商品収納棚としての品質を確保できるという作用を有する。
【００２１】
また前記幅調整板の可動範囲内は空洞部であるため前記商品収納棚の奥行き方向の最前面より前記商品収納路に収納された商品の残量を直視にて確認できるので収納を必要とする商品と必要数を予め知ることができるとともに、前記幅調整板の誤設定等設定不良に起因して収納する商品が前記商品収納路内で詰まった時、前記空洞部より直接解除できるという作用を有する。
【００２２】
請求項３に記載の発明は、請求項１または２に記載の発明に、さらに、前記商品通路を構成する前記可動セグメントおよび前記固定セグメントのうち前記幅調整板の可動範囲外にのみ前記可動セグメントを、また前記固定セグメントは前記左右一対の側板全幅にわたって配置したものであり、部分的に前記左右一対の側板と前記左右一対の側板間全域にわたった横幅を有した前記固定セグメントとの３面を固着し且つ、そのうちの１面が円弧状であるため前記商品収納棚の剛性を確保できるという作用を有する。
【００２３】
請求項４に記載の発明は、請求項１または３に記載の発明に、さらに、前記挿通ピン上には前記可動セグメントおよび前記固定セグメントの前記空洞部側で前記可動セグメントおよび前記固定セグメントと当接し、また前記空洞部側の前記側板の前記商品通路側にも当接するストッパー部を設けたものであり、前記可動セグメントおよび前記固定セグメントの横幅方向の位置が定まらないことから、前記空洞部に前記可動セグメントおよび前記固定セグメントが前記挿通ピン上を前記幅調整板側へ移動すると前記幅調整板を移動させるとき前記可動セグメントおよび前記固定セグメントと干渉することにより移動しないということがなく、前記ストッパー部により前記可動セグメントおよび前記固定セグメントの横幅方向の位置を確定できるので確実に前記空洞部を確保できるという作用を有する。
【００２４】
請求項５に記載の発明は、請求項１または４に記載の発明に、さらに、前記挿通ピン上に前記可動セグメントの前記空洞部側で前記可動セグメントと当接し、また前記空洞部側の前記側板の前記商品通路側にも当接するストッパー部を設けたものである。
【００２５】
これによって、剛性を確保された前記商品収納棚において、前記可動セグメントの左右（横幅）方向の位置が前記挿通ピン上で前記幅調整板と反対方向に常に確定させられることにより前記幅調整板と前記可動セグメントとが干渉して生じる前記幅調整板の動作不良、横幅設定不良また、前記可動セグメントの動作不良による商品落下姿勢の悪化を排除することができるという作用を有する。さらに、前記可動セグメントの左右（横幅）方向の位置を前記挿通ピン上で前記幅調整板と反対方向に常に確定させるために前記可動セグメントの上端軸部で前記幅調整板側に例えば略円筒状で前記可動セグメントと前記幅調整板側の前記側板との間隔を常に確保する他の部材を位置決め用スペーサとして同軸で設ける必要がなく、自動販売機の商品収納棚の組立て工数が軽減できる。
【００２６】
請求項６に記載の発明は、請求項１から５に記載の発明に、さらに、前記挿通ピンは略円筒形状のピン断面と全長にわたって隙間を有し、前記ストッパー部は当接箇所と同数の２箇所を有し、前記ストッパー部のそれぞれは前記隙間の一端から他端へ前記略円筒形状上に中心から外向きに突出して略円筒形状のストッパー部断面を連続的にもしくは間欠して有したものである。
【００２７】
これによって、前記挿通ピンの材料展開内で前記ストッパー部を設けることによりプレス加工工程で前記挿通ピンを加工すると同時に前記ストッパー部形状も一体で加工が可能となり前記挿通ピンの部品完成までの時間を簡略化できる。
【００２８】
請求項７に記載の発明は、請求項１から６に記載の発明に、さらに、前記挿通ピンの前記ストッパー部断面は前記隙間の一端と他端で前記ピン断面の始終点の位置が前記挿通ピンの断面の始終点で一致し、両端のそれぞれから前記ストッパー部断面の円周に向かって鈍角で接するように延びた形状を有したものである。
【００２９】
これにより、前記隙間の大きさは前記ピン断面および前記ストッパー部断面によらずほぼ一定となり前記挿通ピンの全幅にわたって最小とすることができるので前記隙間に商品が引っ掛かり落下姿勢を崩すことがなくより品質が向上する。
【００３０】
請求項８に記載の発明は、請求項１から７に記載の発明に、さらに、前記挿通ピンに設けられた前記ストッパーで前記可動セグメントまたは前記固定セグメントと当接する側より前記可動セグメントまたは前記固定セグメント側で前記可動セグメントまたは前記固定セグメントと干渉する位置に前記挿通ピンの中心から円周方向に向かって突出した係合部で前記可動セグメントの上端回動軸部または前記固定セグメントの上下端軸部のうちのいずれかもしくは両方へ圧入して前記挿通ピンと前記可動セグメントまたは前記固定セグメントの２部品を予め組立て可能とするものである。
【００３１】
これにより、前記挿通ピンと前記可動セグメントまたは固定セグメントの２部品ないし３部品を圧入により予め組立てることができるので自動販売機の商品収納棚を組立てるときの使用部品数量を削減できることとなる。
【００３２】
請求項９に記載の発明は、請求項１から７に記載の発明に、さらに、前記挿通ピンに設けられた前記ストッパーで前記可動セグメントと当接する側より更に前記可動セグメントまたは前記固定セグメント側で前記可動セグメントと干渉する位置に前記挿通ピンの中心から円周方向に向かって突出した係合部と、前記可動セグメントの上端回動軸部上で中心から円周方向へ突出し前記係合部と前記上端可動軸を中心に揺動自在に嵌合する位置に設けられた可動セグメント補強ビードとにより、前記挿通ピンと前記可動セグメントと前記可動セグメントを上方に付勢させる付勢手段の３部品を予め組立て可能とするものである。
【００３３】
これにより、前記挿通ピンと前記可動セグメントと前記付勢手段との３部品を前記挿通ピンと前記可動セグメントとを圧入することにより予め組立てることができ、また前記挿通ピンを前記可動セグメントに圧入後は前記挿通ピンと前記可動セグメントの前記上端回動軸とが揺動自在に嵌合されるので前記付勢手段による付勢力を損なうことがないという作用を有する。
【００３４】
請求項１０に記載の発明は、請求項１から９に記載の発明に、さらに、前記挿通ピンの両端もしくは一端をそれぞれ切り口が略楕円となるよう前記挿通ピンを斜めに切断し、片側もしくは両端をそれぞれ尖らせた形状としたものである。
【００３５】
これにより、前記挿通ピンを側板２に取り付ける際、側板２に複数設けられた前記挿通ピン取付け用穴への挿入性が向上し、自動販売機の商品収納棚の生産性が向上する。
【００３６】
請求項１１に記載の発明は、請求項１から１０に記載の発明に、さらに、前記挿通ピンの一端もしくは両端に展開形状を略凸凹形状とし前記側板に挿通した後拡開して前記側板に取り付ける割ピン部を設けたものである。
【００３７】
これにより、前記挿通ピンの両端もしくは一端を拡開して前記側板に係止することで前記左右両側板から前記挿通ピンが脱落することなく前記商品収納棚の横幅をより小さくできる。
【００３８】
請求項１２に記載の発明は、請求項１から１１に記載の発明に、さらに、前記幅調整板の可動範囲外にのみ前記可動セグメントもしくは前記固定セグメントを前後に千鳥配列して上下方向に複数配置された商品通路を前後に複数列配置させてなる自動販売機の商品収納棚において、前記商品通路外であって、且つ、前記可動セグメントもしくは前記固定セグメントのそれぞれ背面で前記左右一対の側板に挿通された挿通ガイドピンを複数設けたものである。
【００３９】
これにより、収納する商品が前記可動セグメントもしくは前記固定セグメントの前記幅調整板側で奥行き方向の前後へ前記商品通路からはみ出す挙動をすると前記挿通ガイドピンに接触して前記商品通路内へ戻し、前記商品通路から収納する商品がはみ出すことを規制することができる。
【００４０】
請求項１３に記載の発明は、請求項１から１２に記載の発明に、さらに、前記幅調整板の可動範囲外にのみ前記可動セグメントもしくは前記固定セグメントを前後に千鳥配列して上下方向に複数配置された商品通路を前後に複数列配置させてなる自動販売機の商品収納棚において、前記左右一対の側板から前記商品通路に向かって断面が略Ｌ字形状のガイド部を前記可動セグメントと前記固定セグメントのそれぞれ背面に上下方向に渡って連続的にまたは部分的に設けたものである。
【００４１】
これにより、収納する商品が前記可動セグメントもしくは前記固定セグメントの前記幅調整板側で奥行き方向の前後へ前記商品通路からはみ出す挙動をすると前記ガイド部に商品が接触して前記商品通路内へ戻し、前記商品通路から収納する商品がはみ出すことを規制することができる。
【００４２】
請求項１４に記載の発明は、請求項１から１３に記載の発明に、さらに、前記可動セグメントもしくは前記固定セグメントを前後に千鳥配列して上下方向に複数配置された商品通路を前後に複数列配置させてなる自動販売機の商品収納棚において、前記商品通路の断面積より全体的に、もしくは幅方向に移動自在に軸支する吊り下げ部以外で部分的に大きい形状を有した幅調整板を設けたものである。
【００４３】
これにより、収納する商品が前記可動セグメントもしくは前記固定セグメントの前記幅調整板側で奥行き方向の前後へ前記商品通路からはみ出す挙動をすると前記幅調整板に商品が接触して前記商品通路内へ戻し、前記商品通路から収納する商品がはみ出すことを規制することができる。
【００４４】
（実施の形態１）
図１は、本発明の実施の形態１における自動販売機の商品収納棚の主要部分の斜視図である。
【００４５】
図１において、自動販売機の商品収納棚１は、左右一対の側板２の間に画成した２の間に画成した上下方向の蛇行上の商品通路３に連ねてその上部に商品投入用の商品案内板５と商品投入側板６とを有した商品投入口４、下部出口側に商品搬出用のベンド機構７を配備して構成された商品収納路８を前後方向に複数配列されてなる。ただし、奥行き方向で最も手前に配置される商品収納路８においては商品案内板５および商品案内側板６が存在せず、商品通路３の最上部が商品投入口４の代用となる。また、各商品収納路１０には左右の側板２とほぼ平行で左右方向に移動自在で商品通路３の断面積より全体的に、もしくは幅方向に移動自在に軸支する吊り下げ部以外で部分的に大きい形状を有した幅調整板９ａが設けられ、収納する商品の全長に応じて左右方向に移動させ適切な幅に設定することが可能となっている。商品案内板５と商品案内側板６とからなる商品投入口４を有した商品収納路１０においては、商品案内側板６の後方に設けられた連結部１２により幅調整板９ａを挟み込んで連結され、商品案内側板６と幅調整板９ａとが一体となって横幅方向へ移動自在に商品案内板５に設けられている。商品案内板５の奥行き方向の最前部は左右両側板２間にわたって略円筒状の形状を有し左右両側板２に保持されている。商品案内側板６の奥行き方向の最前部は商品案内板５の奥行き方向の最前部に設けられた略円筒状の形状を抱き込む形状で回転自在に、且つ横幅方向へ移動自在に商品案内板５と商品案内側板６とが連結されるとともに、商品案内板５上に商品案内側板６の奥行き方向の後部が当接しているときは横幅方向への移動を阻止し、商品案内側板６の奥行き方向の後部が商品案内板５から離れているときは横幅方向への移動が可能となるよう嵌合部が設けられ、従来と同様の構成となっている。
【００４６】
蛇行状の商品通路３は、前後方向を仕切り、断面が略円弧状の可動セグメント組立体１８ａ、固定セグメント組立体１８ｂ、補強セグメント８ｃとで左右の側板２にそれぞれ設けられた貫通穴１９に可動セグメント組立体１８ａの上端回動軸２０、固定セグメント組立体１８ｂ、補強セグメント８ｃのそれぞれ上下端の固定軸２１で芽設され構成されている。可動セグメント組立体１８ａの上端回動軸２０を回転軸として可動セグメント組立体１８ａが商品通路３を広げる方向に回転すると、可動セグメント組立体１８ａの下端は左右両側板２に設けられた貫通穴１９に芽設された挿通ピン２２ａに当接し商品通路３において奥行き方向の所定の距離を決定することとなる。また、可動セグメント組立体１８ａ、固定セグメント組立体１８ｂの幅調整板７側には空洞部１１ｂが設けられ、この空洞部１１ｂ内で幅調整板９ａが左右方向に移動自在で収納する商品全長に応じて設定される。幅調整板９ａは、その外形が商品収納路１０ないし商品通路３の断面に酷似した形状を有するとともに、上端回動軸２０および、固定軸２１の上方で商品収納路１０の断面形状からはみ出し、幅調整板９ａが幅方向を小さくする方向に移動すると、可動セグメント組立体１８ａおよび固定セグメント組立体１８ｂに当接する平面状の外形形状を有している。商品通路３を構成する可動セグメント組立体１８ａ、固定セグメント組立体１８ｂのそれぞれ上下方向の中間部もしくはその付近で商品通路３外であって可動セグメント組立体１８ａ、固定セグメント組立体１８ｂのそれぞれ背面には、左右の側板２に挿通された挿通ガイドピン２２ｂが設けられている。
【００４７】
左右の側板２の内少なくとも空洞部１１ｂ側の側板２には、断面が略Ｌ字状で水平方向に向かって延びた形状のガイド部２３を可動セグメント組立体１８ａと固定セグメント１８ｂのそれぞれ背面に上下方向に渡って連続的にまたは部分的に有しており、空洞部１１ｂの側板２側を上下方向に渡って連続的にまたは部分的に覆う形状となっている。
【００４８】
図２は、本発明の実施の形態１における自動販売機の商品収納棚を構成する可動セグメント組立体１８ａの正面図で、図３は、本発明の実施の形態１における自動販売機の商品収納棚を構成する可動セグメント組立体１８ａの側面図である。
【００４９】
図２、図３において、可動セグメント組立体１８ａは、縦断面が略円弧状で、上端には縦断面が略円弧状の筒形状の回動保持部２４を有し、回動保持部２４の幅方向の略中間部に正面から見て略コの字形状の付勢部材取付け部２５と付勢部材取付け部２５の下方で商品通路３外に向かって縦断面が略くの字をしたブリッジ形状の付勢部材挿通保持部２６を幅方向に２箇所設けられた可動セグメント８ａと、商品通路３を塞ぐ方向に可動セグメント８ａを付勢する付勢部材なるトーションバネ２７と、幅方向の一端が略凹凸の展開形状の割りピン部２８で、断面が略円筒形状であり、可動セグメント８ａに設けられた回動保持部２４の空洞部１１ｂ側の端面と当接するストッパー部２９ａ、また空洞部１１ｂ側の側板２と当接するストッパー部２９ｂの２箇所のストッパー部２９ａ、２９ｂとを有したストッパー付挿通ピン３０とで構成されている。可動セグメント組立体１８ａの上端可動軸２０は、回動保持部２４がストッパー付挿通ピン３０の外周を揺動自在でかつ、ストッパー付挿通ピン３０が左右両側板２に設けられた貫通穴１９に対して揺動自在となって可動セグメント８ａを軸支している。
【００５０】
図４は、本発明の実施の形態１における自動販売機の商品収納棚を構成するストッパー付挿通ピン３０の正面図で、図５は、本発明の実施の形態１における自動販売機の商品収納棚を構成するストッパー付挿通ピン３０の側面図である。
【００５１】
図４、図５において、ストッパー部２９ａ、２９ｂはそれぞれストッパー付挿通ピン３０の断面である略円筒形状の中心から外向きにほぼストッパー付挿通ピン３０の断面である略円筒形状に沿って突出した略円筒形状の断面を有し、ストッパー部２９ａ、２９ｂの突出高さはそれぞれ回動保持部２４の空洞部１１ｂ側の端面に部分的にもしくは全体的に当接するのに足るものであり、また、空洞部１１ｂ側の側板２に軸支可能にあけられた貫通穴１９周囲に部分的にもしくは全体的に当接するのに足るものである。ストッパー部２９ａは、回動保持部２４と当接することにより可動セグメント８ａの幅方向での位置を固定し、ストッパー部２９ｂは、空洞部１１ｂ側の側板２と当接することにより空洞部１１ｂを確保し、幅調整板９ａの左右方向の移動範囲内に可動セグメント８ａが干渉しない構成となっている。
【００５２】
また、ストッパー付挿通ピン３０をシート材にて加工した場合、幅方向を全長とし全長にわたって隙間を有した形状となる。本実施の形態１では、前記隙間を有したストッパー付挿通ピン３０で構成されており、ストッパー部２９ａ、２９ｂの断面は、それぞれストッパー付挿通ピン３０の断面である略円筒形状の中心から外向きにほぼストッパー付挿通ピン３０の断面である略円筒形状に沿って突出した略円筒形状の断面であり、前記隙間の一端と他端で幅方向を全長とし全長にわたってほぼ直線となるようストッパー部２９ａ、２９ｂの断面部での前記隙間の両端それぞれから前記隙間より遠ざかる方向にストッパー部２９ａ、２９ｂの断面である略円筒形状の外周に向かって緩やかなテーパーを形成し、ストッパー部２９ａ、２９ｂの突出高さはそれぞれ回動保持部２４の空洞部１１ｂ側の端面に部分的に当接するのに足るものであり、また、空洞部１１ｂ側の側板２に軸支可能にあけられた貫通穴１９周囲に部分的に当接するのに足るものとしている。可動セグメント８ａには、上下方向に回動保持部２４の断面である略円筒形状の端部から可動セグメント８ａの下端に向かって可動セグメント８ａの略円弧形状の中心方向に突出した一様な高さの可動セグメント補強ビード３１を可動セグメント８ａの幅方向で中間部を軸に左右対称形で４箇所に設けている。一方、ストッパー付挿通ピン３０には、幅方向を全長とし全長にわたって形成された前記隙間からストッパー付挿通ピン３０の断面である略円筒部の中心を回転軸にほぼ１８０°回転した位置で且つ、ストッパー部２９ａを回動保持部２４に当接させた状態で幅方向において左右両端に位置する可動セグメント補強ビード３１にストッパー付挿通ピン３０の断面である略円筒部の中心から円周方向に向かって突出した半球面状の係合突起３２が形成されている。
【００５３】
可動セグメント８ａとトーションバネ２７とストッパー付挿通ピン３０は、トーションバネ２７の一端を可動セグメント８ａに設けた付勢部材挿通保持部２６に挿通し、付勢部材取付け部２５にトーションバネ２７を配置してトーションバネ２７のコイル部と可動セグメント８ａの上端に形成された回動保持部２４とを同軸でストッパー付挿通ピン３０を係合突起３２側から挿通し且つストッパー部２９ａを回動保持部２４に当接するまで圧入して組立てられ、可動セグメント組立体１８ａが構成される。係合突起３２は、可動セグメント８ａの幅方向の内最も端側に位置する可動セグメント補強ビード３１に嵌合されストッパー付挿通ピン３０を圧入後はストッパー付挿通ピン３０が横幅方向に外れない構造となり、可動セグメント８ａの回動保持部２４は上端回転軸２０を中心にストッパー付挿通ピン３０の外周を揺動自在で可動セグメント８ａを軸支している。
【００５４】
図６は、本発明の実施の形態１における自動販売機の商品収納棚を構成する固定セグメント組立体１８ｂの正面図である。
【００５５】
図６において、固定セグメント組立体１８ｂは、縦断面が略円弧状で、上端と下端には縦断面が略円弧状の筒形状の挿通ピン保持部３３をそれぞれ有し、上端と下端の挿通ピン保持部３３間に前記略円弧形状の中心方向に突出した一様な高さの固定セグメント補強ビード３４を幅方向で中間部を軸に左右対称形で且つ左右各両端から挿通ピン保持部３３にストッパー付挿通ピン３０に形成されたストッパー部２９ａを当接させたとき、係合突起３２が位置する箇所に２個設けた固定セグメント８ｂと、ストッパー付挿通ピン３０が２個とで構成さる。可動セグメント組立体１８ａと同様に、ストッパー付挿通ピン３０を上端と下端の挿通ピン保持部３３にそれぞれ同一方向から係合突起３２側から挿通し且つストッパー部２９ａを挿通ピン保持部３３にそれぞれ当接するまで圧入して組立てられ、固定セグメント組立体１８ｂが構成される。係合突起３２は、固定セグメント８ｂの幅方向の内最も端側に位置する固定セグメント補強ビード３４に嵌合されストッパー付挿通ピン３０を圧入後はストッパー付挿通ピン３０が横幅方向に外れない構造となっている。
【００５６】
可動セグメント組立体１８ａおよび固定セグメント組立体１８ｂは、商品収納棚１が組立てられる以前に予め必要数が組立てられ、商品収納棚１の組立が始まるのを待つ状態にできる。商品収納棚１の組立は、可動セグメント組立体１８ａおよび固定セグメント組立体１８ｂがそれぞれ、幅調整板９側にストッパー部２９ｂを向けて左右の側板２に設けられた貫通穴１９に軸支され、ストッパー付挿通ピン３０の幅方向の一端に形成された割ピン部２８を拡開し組み付けられていく。また、可動セグメント組立体１８ａ、固定セグメント組立体１８ｂのそれぞれ背面に配置され、左右の側板２に挿通された挿通ピン２２と、さらに、可動セグメント組立体１８ａに構成されるストッパー付挿通ピン３０の上方で、同じく可動セグメント組立体１８ａに構成されるトーションバネ２７の一端の内、可動セグメント８ａに形成された付勢部材挿通保持部２６に挿通された方と別の方を当接させてトーションバネ２７により可動セグメント組立体１８ａもしくは可動セグメント８ａが商品通路３を塞ぐ方向に付勢させるために左右の側板２に挿通ピン２２ａを挿通させ挿通ピン２２ａの幅方向の両端を拡開すると共に、これらの挿通ピン２２ａにより左右の側板２がそれぞれ商品通路３と反対の方向つまり、幅方向で大きくなることを防止している。
【００５７】
なお、本実施の形態における自動販売機の商品収納棚は、ストッパー付挿通ピン３０の長手方向の一端に割りピン部２８を設けたことのみとしたが、ストッパー付挿通ピン３０の貫通穴１９への挿入性を良化させる目的でストッパー付挿通ピン３０の長手方向の一端に設けられた割りピン部２８を端面側に向かってその断面である略円筒形状が小さくなるような略円錐形としてもよい。また、割りピン部２８の代わりに略円筒形状とし、左右両側板２に設けた貫通穴１９にそれぞれ貫通させておくだけでもよく、そのときには、ストッパー付挿通ピン３０の長手方向の両端もしくは一端を斜めに切断しその切り口が楕円になるように両端部もしくは一端を尖らせてもよい。
【００５８】
以上のように組立てられた自動販売機の商品収納棚１の商品案内板５と商品案内側板６を有した商品収納路１０に商品を収納するときは、予め収納する商品の全長にあわせて商品案内側板６を幅方向に移動させて商品投入口４の幅方向を所定の位置に設定する。このとき商品案内側板６に連動して幅調整板９ａも幅方向に移動させられ商品通路３の横幅も所定の位置に設定される。また、商品案内板５と商品案内側板６を有しない商品収納路１０に商品を収納するときは、幅調整板９ａを直接幅方向に移動させ、収納する商品の全長に合わせて設定を行い、商品通路３の横幅を所定の位置に設定する。次に、収納する商品を商品投入口４より長手方向を水平にして投入し、商品案内側板６に沿って商品案内板５上を転動もしくは摺動して商品通路３へと案内される。その後、商品通路３を構成する補強セグメント８ｃ、可動セグメント組立体１８ａ、固定セグメント組立体１８ｂに沿って螺旋を描きながらもしくは蛇行しながらベンド機構７へと落下していく。順次商品投入口４より収納された商品はベンド機構７より積上げられて販売待機の状態となる。
【００５９】
収納する商品の全長が、可動セグメント組立体１８ａと固定セグメント組立体１８ｂのそれぞれの幅方向より大きければ、商品通路３内を蛇行しながらまたは螺旋を描くように落下するとき、可動セグメント組立体１８ａと固定セグメント組立体１８ｂのそれぞれ幅調整板９ａ側で商品が商品通路３よりはみだし、落下する商品の姿勢をほぼ水平状態に維持できなくなり、商品通路３内で商品が斜めにまたは極端になれば長手方向を鉛直にして詰まることが生じ、ベンド機構７まで商品が達せず販売指令が出されても商品を搬出できないこととなる。
【００６０】
さらに、従来の幅調整板９を用いると、商品通路３内で商品が水平姿勢を悪化させ斜めになったとき、商品の幅調整板９側の端部が幅調整板９の外形端部とストッパー付挿通ピン３０もしくは挿通ピン２２ａとで挟まり引っ掛かり止ることとなり、ベンド機構７まで商品が達せず販売指令が出されても商品を搬出できないということも起こり得る。
【００６１】
そこで、挿通ガイドピン２２ｂないしガイド部２３を設けたことにより、商品通路３内を蛇行しながらまたは螺旋を描くように落下する商品が挿通ガイドピン２２ｂまたはガイド部２３に接触することで斜めに崩れかけた落下姿勢を水平に復元することとなる。さらに、商品収納路８ないし商品通路３の断面に酷似した形状を有するとともに、ストッパー付挿通ピン３０と挿通ピン２２ａの上方で商品収納路１０の断面形状からはみ出し、可動セグメント組立体１８ａおよび固定セグメント組立体１８ｂに当接可能な平面状の外形形状の幅調整板９ａを従来の幅調整版９の替わりに用いることにより、ストッパー付挿通ピン３０および、挿通ピン２２ａの上方で商品収納路１０の断面形状からはみ出した幅調整板９ａの平面部に商品の幅調整板９ａ側の端部が接触し続けさらに上端回動軸２０ななるストッパー付挿通ピン３０と回動保持部２４ないし固定軸２１なるストッパー付挿通ピン３０と挿通ピン保持部３３に商品が接触すると斜めに崩れかけた落下姿勢を水平に復元することとなる。以上のように、可動セグメント組立体１８ａないし固定セグメント組立体１８ｂからなる商品収納路１０を有した商品収納棚１に幅調整板９ａ、挿通ピン２２ないしガイド部２３を用いることにより商品通路３内を落下する商品の落下姿勢をほぼ水平姿勢で詰まることなくベンド機構まで落下させることが可能となる。
【００６２】
なお、本実施の形態における自動販売機の商品収納棚は、商品通路３を可動セグメント組立体１８ａと固定セグメント組立体１８ｂと補強セグメント８ｃとで構成したが、商品収納棚１の剛性を十分確保できる場合には、商品通路３を可動セグメント組立体１８ａと固定セグメント組立体１８ｂとで構成してもよく、このときには使用部品種類を削減することができるため生産性をさらに向上させることとなる。
【産業上の利用可能性】
【００６３】
本発明によれば、構成部品数を減らして材料，生産コストの安価な商品収納棚を提供することができ、各種商品を扱う自動販売機の商品収納棚として有用である。
【図面の簡単な説明】
【００６４】
【図１】本発明の実施の形態１における自動販売機の商品収納棚の主要部分の斜視図
【図２】本発明の実施の形態１における自動販売機の商品収納棚を構成する可動セグメント組立体の正面図
【図３】本発明の実施の形態１における自動販売機の商品収納棚を構成する可動セグメント組立体の側面図
【図４】本発明の実施の形態１における自動販売機の商品収納棚を構成するストッパー付挿通ピンの正面図
【図５】本発明の実施の形態１における自動販売機の商品収納棚を構成するストッパー付挿通ピンの側面図
【図６】本発明の実施の形態１における自動販売機の商品収納棚を構成する固定セグメント組立体の正面図
【図７】従来の自動販売機の商品収納棚の斜視図
【図８】従来の自動販売機の商品収納棚の商品通路を構成する可動セグメントの斜視図
【符号の説明】
【００６５】
１    商品収納棚
２    側板
３    商品通路
４    商品投入口
５    商品案内板
６    商品案内側板
７    ベンド機構
８ａ  可動セグメント
８ｂ  固定セグメント
８ｃ  補強セグメント
９    幅調整板
９ａ  幅調整板
１０  商品収納路
１１ａ  商品通路部
１１ｂ  空洞部
１２  連結部
１３ａ  上端挿通ピン
１３ｂ  下端挿通ピン
１４  スペーサ
１５  スペーサ取付孔
１６  割りピン部
１７  ストッパー部
１８ａ  可動セグメント組立体
１８ｂ  固定セグメント組立体
１９  貫通穴
２０  上端回動軸
２１  固定軸
２２ａ  挿通ピン
２２ｂ  挿通ガイドピン
２３  ガイド部
２４  回動保持部
２５  付勢部材取付け部
２６  付勢部材挿通保持部
２７  トーションバネ（付勢部材）
２８  割りピン部
２９ａ  ストッパー部（回動保持部１４側）
２９ｂ  ストッパー部（側板２側）
３０  ストッパー付挿通ピン
３１  可動セグメント補強ビード
３２  係合突起
３３  挿通ピン保持部
３４  固定セグメント補強ビード
【図１】
2006011797.tif 000003
【図５】
2006011797.tif 000004
【図７】
2006011797.tif 000005
【図８】
2006011797.tif 000006
【図２】
2006011797.tif 000007
【図３】
2006011797.tif 000008
【図４】
2006011797.tif 000009
【図６】
2006011797.tif 000010